(57)【特許請求の範囲】
【請求項１】
箱状に形成された筐体と、
前記筐体を構成する側板に設けられ電気配線が接続される端子台を取り付ける端子台取付部と、を備え、
前記端子台取付部は、
前記側板に設けられ前記筐体の内部と外部とを連通する開口部と、
前記開口部の周囲の一部が前記側板に接続された接続部を有し、前記接続部を支点に前記筐体の内側へ向かって折れ曲がるように傾斜し、前記端子台が取り付けられる平板部と、
前記側板と前記平板部の上部との間を連結し複数の折り曲げ部が形成されることで前記筐体の内側へ向かって延びるように形成された連結部と、を有し、
前記側板と前記平板部と前記連結部とは、一体に形成され、
前記連結部は、当該連結部と前記側板との境界部分である側板側端部と、当該連結部と前記平板部との境界部分である平板部側端部と、の間において複数の折り曲げ部が形成されることにより、前記筐体の内側へ向かって延びるように形成されている、
冷凍サイクル装置の室外機。
【請求項２】
前記連結部の幅寸法は、前記側板の厚み寸法の６倍以上に設定されている、
請求項１に記載の冷凍サイクル装置の室外機。
【請求項３】
電気配線が接続される端子台と、
筐体に設けられ前記端子台を前記筐体に取り付ける端子台取付部と、を備え、
前記端子台取付部は、
前記筐体に設けられた開口部の周囲の一部が前記筐体の一部と連続する接続部と、
前記開口部の内側に前記接続部と連続して設けられ前記端子台が取り付けられる平板部と、
前記接続部とは異なる位置に設けられ前記筐体の一部と前記平板部の上部との間を連結する少なくとも一つの連結部と、を有し、
前記筐体と前記平板部と前記連結部とは、一体に形成され、
前記連結部は、当該連結部と前記筐体を構成する側板との境界部分である側板側端部と、当該連結部と前記平板部との境界部分である平板部側端部と、の間において複数の折り曲げ部が形成されることにより、前記筐体の内側へ向かって延びるように形成されている、
冷凍サイクル装置の室外機。
【請求項４】
冷凍サイクル装置の室外機の製造方法であって、
前記室外機の筐体の側板の製造工程において、
前記側板を貫いて前記筐体の内部と外部とを連通する開口部と、前記側板の平面方向における前記開口部の内側に設けられ、周囲の一部が前記側板に接続された接続部を有して端子台が取り付けられる平板部と、前記側板と前記平板部の上部との間を連結し前記側板との境界部分である側板側端部と前記平板部との境界部分である平板部側端部との間を屈曲しながら蛇行する形態に形成された連結部と、を平板状の板部材を打ち抜いて一体に形成する打ち抜き工程と、
前記接続部を支点に前記平板部を前記筐体の内側へ向かって傾斜するように折り曲げるとともに、前記連結部と前記側板との境界部分である側板側端部と、前記連結部と前記平板部との境界部分である平板部側端部と、の間において複数の折り曲げ部を形成することで前記連結部を前記筐体の内側へ延ばすように折り曲げる曲げ工程と、
を備えている冷凍サイクル装置の室外機の製造方法。
【発明の詳細な説明】
【技術分野】
【０００１】
本発明の実施形態は、冷凍サイクル装置の室外機、及び冷凍サイクル装置の室外機の製造方法に関する。
【背景技術】
【０００２】
例えば冷凍サイクル装置の一種である空気調和機の室外機において、室外機の筐体を構成する側板に、筐体の内部と外部とを連通する開口と、その開口周辺に端子台取付部を設けた構成が知られている。端子台取付部には、筐体内の電気機器と電気配線とを接続するための端子台が取り付けられる。作業者は、室外機の据え付けやメンテナンス等で配線作業をする際、端子台を比較的強い力で押えながら作業をすることが多い。したがって、端子台取付部には、この作業時の押圧力に耐え得る程度の比較的高い剛性が必要となる。
【０００３】
しかし、端子台取付部の剛性を高めるために板金部品等の補強部材を別途設けると、その補強部材の分だけ部品点数が増加し、その結果、室外機の組立工数が増大するなどし、ひいては室外機の製造性の低下や製造コストの増大に繋がる。
【先行技術文献】
【特許文献】
【０００４】
【特許文献１】特開２０１０−１２７５３６号公報
【発明の概要】
【発明が解決しようとする課題】
【０００５】
そこで、側板とは別構成の補強部材を設けることなく端子台取付部の剛性を高めることができる冷凍サイクル装置の室外機、及び冷凍サイクル装置の室外機の製造方法を提供する。
【課題を解決するための手段】
【０００６】
冷凍サイクル装置の室外機は、箱状に形成された筐体と、前記筐体を構成する側板に設けられ電気配線が接続される端子台を取り付ける端子台取付部と、を備える。前記端子台取付部は、前記側板に設けられ前記筐体の内部と外部とを連通する開口部と、前記開口部の周囲の一部が前記側板に接続された接続部を有し、前記接続部を支点に前記筐体の内側へ向かって折れ曲がるように傾斜し、前記端子台が取り付けられる平板部と、前記側板と前記平板部の上部との間を連結し複数の折り曲げ部が形成されることで前記筐体の内側へ向かって延びるように形成された連結部と、を有している。前記側板と前記平板部と前記連結部とは、一体に形成されている。前記連結部は、当該連結部と前記側板との境界部分である側板側端部と、当該連結部と前記平板部との境界部分である平板部側端部と、の間において複数の折り曲げ部が形成されることにより、前記筐体の内側へ向かって延びるように形成されている。
【０００７】
また、冷凍サイクル装置の室外機の製造方法は、筐体の側板の製造工程において、前記側板を貫いて前記筐体の内部と外部とを連通する開口部と、前記側板の平面方向における前記開口部の内側に設けられ、周囲の一部が前記側板に接続された接続部を有して前記端子台が取り付けられる平板部と、前記側板と前記平板部の上部との間を連結し前記側板との境界部分である側板側端部と前記平板部との境界部分である平板部側端部との間を屈曲しながら蛇行する形態に形成された連結部と、を平板状の板部材を打ち抜いて一体に形成する打ち抜き工程と、前記接続部を支点に前記平板部を前記筐体の内側へ向かって傾斜するように折り曲げるとともに、前記連結部と前記側板との境界部分である側板側端部と、前記連結部と前記平板部との境界部分である平板部側端部と、の間において複数の折り曲げ部を形成することで前記連結部を前記筐体の内側へ延ばすように折り曲げる曲げ工程と、を備えている。
【図面の簡単な説明】
【０００８】
【図１】一実施形態による冷凍サイクル装置の室外機を示す斜視図
【図２】一実施形態について、側板を示す図
【図３】一実施形態について、端子台取付部の周辺部を拡大して示す図
【図４】一実施形態について、端子台取付部の製造工程の一例を示すフローチャート
【図５】一実施形態について、連結部及び平板部を折り曲げる前の端子台取付部の周辺部を拡大して示す図
【図６】一実施実施形態について、連結部及び平板部を折り曲げた状態の端子台取付部を示す断面図
【発明を実施するための形態】
【０００９】
以下、一実施形態について図面を参照しながら説明する。
本実施形態においては、冷凍サイクル装置として空気調和機を例に説明する。なお、冷凍サイクル装置の室外機としては、空気調和機の室外機の他にヒートポンプ式給湯機の熱源機、冷凍機等がある。
図１に示す空気調和機の室外機１０は、外殻を構成する筐体２０の内部に、図示しないファンや熱交換器等を内蔵している。筐体２０は、前板２１、天板２２、左右２つの側板２３、及び図示しない底板を組み合わせることで、矩形の箱状に形成されている。前板２１、天板２２、側板２３、及び図示しない底板は、それぞれ金属製の板を曲げ加工等することにより形成されている。なお、本実施形態では、前板２１側の面を室外機１０の前面又は前側とし、前板２１とは反対側の面を背面又は後側とする。また、室外機１０の設置状態における重力方向を、室外機１０の上下方向とする。そして、前後方向及び上下方向に対する直角方向を、室外機１０の横方向又は左右方向とする。
【００１０】
前板２１は、吐出口２１１を有している。吐出口２１１は、筐体２０内に設けられた図示しないファンからの風を室外機１０の外部に吐出するためのものである。吐出口２１１は、前板２１を当該前板２１の厚み方向へ貫いて形成されており、筐体２０の内部と外部とを連通している。そして、詳細は図示しないが、前板２１とは反対側において、左右２つの側板２３間は離間しており、これにより、前板２１とは反対側の面つまり筐体２０の背面は開放されている。そして、筐体２０内に収容されている図示しない熱交換器は、この開放部分から外部に露出している。
【００１１】
また、室外機１０は、化粧カバー１１、側面カバー１２、及び図２に示す端子台４０を有している。化粧カバー１１は、例えば合成樹脂製の部材によっていわゆるメッシュ状に形成されている。化粧カバー１１は、前板２１に取り付けられており、吐出口２１１を覆っている。側面カバー１２は、左右両側の側板２３のうち一方の側板２３に着脱可能に設けられている。側面カバー１２は、筐体２０の外部から内部に引き込まれている図示しない冷媒用配管や電気配線、及び図２に示す端子台４０を覆っている。
【００１２】
次に、左右両側の側板２３のうち側面カバー１２が取り付けられている一方の側板２３の詳細について、図２及び図３も参照して説明する。なお、以下の説明では、単に側板２３と称する。側板２３は、図２に示すように、配管挿通部２３１及び端子台取付部３０を有している。配管挿通部２３１は、側板２３の下端部に設けられており、側板２３を側板２３の厚み方向へ貫いた穴又は切欠き状に形成されている。図示しない冷媒用配管は、配管挿通部２３１に通されて、筐体２０内に引き込まれる。
【００１３】
端子台取付部３０は、側板２３の上下方向における上部、この場合、中央よりも上寄りに設けられている。端子台取付部３０は、図３にも示すように、開口部３１、平板部３２、及び少なくとも一つの連結部３３を有している。本実施形態の場合、端子台取付部３０は、２つの連結部３３を有している。開口部３１は、筐体２０に設けられている。開口部３１は、側板２３の一部を貫いて形成されており、筐体２０の内部と外部とを連通している。開口部３１が形成されることにより、側板２３と平板部３２とが部分的に離間されている。
【００１４】
平板部３２は、側板２３の平面方向における開口部３１の内側に設けられている。平板部３２は、図２に示すように、端子台４０が取り付けられる領域であり、全体として矩形状に形成されている。図３にも示すように、平板部３２は、接続部３２１を有している。接続部３２１は、平板部３２の周囲のうち側板２３に接続された部分であり、開口部３１の周囲の一部が筐体２０の一部と連続している部分である。この場合、平板部３２は、開口部３１の内側において接続部３２１と連続して設けられている。本実施形態の場合、接続部３２１は、矩形の平板部３２の一辺部この場合下側の辺部に設けられている。平板部３２は、接続部３２１を支点にして、筐体２０の内側へ向かって折れ曲がるように傾斜している。
【００１５】
また、図３に示すように、平板部３２は、係止部３２２、ネジ穴３２３、及び三角リブ３２４を有している。係止部３２２は、平板部３２の一部を打ち抜くとともに他の一部を立ち上げるように曲げて形成されている。ネジ穴３２３は、平板部３２を貫いて形成された雌ネジ穴である。端子台４０の一部は、係止部３２２に係止される。そして、図２に示すように、ネジ等の締結部材４１が、端子台４０に通されてネジ穴３２３にねじ込まれる。これにより、端子台４０は、平板部３２に固定される。三角リブ３２４は、接続部３２１上に設けられており、平板部３２の曲げ状態を補強している。
【００１６】
図３にも示すように、連結部３３は、平板部３２において接続部３２１とは異なる端部に設けられている。本実施形態の場合、連結部３３は、平板部３２の上端部の両側２箇所に設けられている。ちなみに、連結部３３が設けられる位置は、平板部３２の上端部に限られない。しかし、加工のし易さ等を考慮すると、連結部３３の位置は、平板部３２において接続部３２１から極力遠い位置であることが好ましい。
【００１７】
連結部３３は、一端側が平板部３２に連結され、他端側が開口部３１の周囲の側板２３に連結されている。これにより、連結部３３は、筐体２０の一部との間を連結している。本実施形態では、連結部３３の一端側つまり連結部３３と平板部３２との境界部分を、平板部側端部３３１と称する。また、連結部３３の他端側つまり連結部３３と側板２３との境界部分を、側板側端部３３２と称する。連結部３３は、両端部３３１、３３２間において複数の折り曲げ部が形成されることにより、筐体２０の内側へ向かって延びるように形成されている。そして、側板２３と、平板部３２と、連結部３３とは、溶接や接着剤によって接合されることなく、又、締結部材等を用いて結合することなく、同一の材料この場合同一の金属板によって一体に形成されている。すなわち、筐体２０と、平板部３２と、連結部３３とが、一体に形成されている。
【００１８】
この場合、連結部３３は、図５に示すように、連結部３３が折り曲げられていない状態では、平板部側端部３３１と側板側端部３３２との間を上下方向に屈曲しながら蛇行するような形態に形成されている。また、連結部３３が折り曲げられていない状態において、平板部側端部３３１は、側板側端部３３２と略同程度の高さ位置、又は側板側端部３３２よりも下方すなわち接続部３２１側に位置している。
【００１９】
また、本実施形態において、連結部３３の幅寸法は、側板２３の厚み寸法すなわち連結部３３の厚み寸法の６倍以上に設定されている。本実施形態の場合、連結部３３の幅寸法は、最も狭い箇所においても、連結部３３の厚み寸法の６倍以上に設定されている。例えば側板２３の厚み寸法が０．６ｍｍである場合、連結部３３の幅寸法は、最も狭い箇所Ｗ１においては３．６ｍｍ以上に設定されている。
【００２０】
端子台４０は、図２に示すように、端子台取付部３０に着脱可能に設けられている。詳細は図示しないが、端子台４０は、相互に分離された電気配線間を電気的に接続するものであり、例えばワンタッチコネクタである。筐体２０内の電気配線と筐体２０外の電気配線とは、端子台取付部３０に設けられた端子台４０を介して電気的に接続される。そして、その電気配線は、開口部３１に通されて開口部３１を通して筐体２０の外部から内部に引き込まれる。
【００２１】
次に、端子台取付部３０を備えた室外機１０の製造方法について、図４〜図６も参照して説明する。
なお、図５では、部材が存在する部分と部材が存在していない部分とを明確にするため、部材が存在している部分に斜線によるハッチングを施している。すなわち、図５において、側板２３と平板部３２と連結部３３とには、斜線によるハッチングが施されている。したがって、図５のハッチングは、部材の断面を示すものではない。
【００２２】
図４に示すフローチャートは、室外機１０の製造工程のうち、側板２３の製造工程の一部を示すものであり、ステップＳ１１の打ち抜き工程と、ステップＳ１２の曲げ工程と、を含んでいる。ステップＳ１１の打ち抜き工程は、図５に示すように、側板２３の母材となる平板状の金属板を打ち抜くことで、開口部３１と、平板部３２と、連結部３３と、を一体に形成する工程である。また、この打ち抜き工程では、係止部３２２も同時に打ち抜いて形成する。打ち抜き工程の実行後、ステップＳ１２の曲げ工程が実行される。
【００２３】
ステップＳ１２の曲げ工程は、図３及び図６に示すように、接続部３２１を支点に平板部３２を筐体２０の内側へ向かって傾斜するように折り曲げるとともに、連結部３３を筐体２０の内側へ延ばすように折り曲げる工程である。この折り曲げ工程において、連結部３３は、図５の破線Ｌ１〜Ｌ４に沿って折り曲げられ、破線Ｌ１〜Ｌ４に複数の折り曲げ部３３３が形成される。この場合、連結部３３には、破線Ｌ１〜Ｌ４で示す部分に山折り部分と谷折り部分とが交互に形成される。これにより、端子台取付部３０が、側板２３に一体的に形成される。また、この曲げ工程では、図３に示す三角リブ３２４も同時に形成される。そして、曲げ工程の実行後、端子台取付部３０の平板部３２に端子台４０が取り付けられる。
【００２４】
以上説明した実施形態によれば、室外機１０は、箱状に形成された筐体２０と、端子台取付部３０と、を備えている。端子台取付部３０は、筐体２０を構成する側板２３に設けられており、電気配線が接続される端子台４０を着脱可能に構成されている。端子台取付部３０は、開口部３１と、平板部３２と、連結部３３と、を有している。開口部３１は、側板２３を貫いて形成されており、筐体２０の内部と外部とを連通している。平板部３２は、側板２３の平面方向における開口部３１の内側に設けられている。平板部３２は、周囲の一部が側板２３に接続された接続部３２１を有している。平板部３２は、接続部３２１を支点に筐体２０の内側へ向かって折れ曲がるように傾斜している。平板部３２は、端子台４０が着脱可能に取り付けられる。また、連結部３３は、側板２３と平板部３２との間を連結している。
【００２５】
また、室外機１０の製造方法は、筐体２０の側板２３を製造工程において、図４に示すように、ステップＳ１１の打ち抜き工程と、ステップＳ１２の曲げ工程と、を備える。打ち抜き工程は、開口部３１と、平板部３２と、連結部３３と、を平板状の板部材を打ち抜いて一体に形成する工程である。この場合、開口部３１は、側板２３を貫いて筐体２０の内部と外部とを連通している。平板部３２は、側板２３の平面方向における開口部３１の内側に設けられ、周囲の一部が側板２３に接続された接続部３２１を有しており、端子台４０が着脱可能に取り付けられる。連結部３３は、側板２３と平板部３２との間を連結している。曲げ工程は、接続部３２１を支点に平板部３２を筐体２０の内側へ向かって傾斜するように折り曲げるとともに、連結部３３を筐体２０の内側へ延ばすように折り曲げる工程である。
【００２６】
これらによれば、連結部３３は、平板部３２と側板２３とを連結している。このため、室外機１０の据え付けやメンテナンスでの配線作業の際に筐体２０の内側方向への押圧が加えられ易い平板部３２において、その筐体２０の内側方向への押圧に対する剛性を高めることができる。すなわち、連結部３３は、平板部３２を補強する補強部材としての機能を有しており、平板部３２の剛性すなわち端子台取付部３０の剛性を高めることができる。
【００２７】
更に、連結部３３は、複数の折り曲げ部３３３が形成されることで筐体２０の内側へ向かって延びるように形成されている。これにより、側板２３と平板部３２と連結部３３とは、溶接や接着剤によって接合されることなく、又、締結部材等を用いて結合することなく、同一の材料この場合金属板によって一体に形成されている。つまり、側板２３と平板部３２と連結部３３とは、接合部分を有することなく同一の部材によって一体に形成されている。
【００２８】
すなわち、連結部３３は、側板２３及び平板部３２とは別体に構成された板金部品等ではなく、側板２３及び平板部３２と一体に形成されたものである。これによれば、端子台取付部３０の剛性を高めるために板金部品等の補強部材を別途設ける必要がない。したがって、連結部３３を設けることよる部品点数の増加を抑制することができる。その結果、室外機１０の組立工数の増加を抑制でき、ひいては室外機１０の製造性の低下や製造コストの増加を抑制することができる。
【００２９】
連結部３３の幅寸法は、側板２３の厚み寸法つまり連結部３３の厚み寸法の６倍以上に設定されている。すなわち、連結部３３の厚み寸法に対して連結部３３の幅寸法が小さ過ぎると、連結部３３の剛性が小さくなる。すると、連結部３３は、端子台取付部３０の補強部材としての機能を十分に発揮できないばかりか、加工時に破断してしまうこともあり、加工も難くなる。これに対し、本願発明者は、連結部３３の厚み寸法に対して連結部３３の幅寸法が６倍以上である場合には、連結部３３の剛性を十分に確保することができるとともに加工がし易くなることを見出した。すなわち、これによれば、連結部３３の剛性を確保しつつ加工性の向上を図ることができる。
【００３０】
なお、接続部３２１や連結部３３の長さ寸法や配置等は、上記したものに限られず、平板部３２のサイズや配置等によって適宜変更することができる。
また、筐体２０は、別体に形成された前板２１、天板２２、及び側板２３を組み合わせて箱状に形成したものに限られず、これら前板２１、天板２２、及び側板２３が一体に構成されたものであってもよい。
【００３１】
以上、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３２】
図面中、１０は室外機、２０は筐体、２３は側板、３０は端子台取付部、３１は開口部、３２は平板部、３２１は接続部、３３は連結部、３３３は折り曲げ部、４０は端子台を示す。
【図１】
0006577398.tif 000002
【図２】
0006577398.tif 000003
【図３】
0006577398.tif 000004
【図４】
0006577398.tif 000005
【図５】
0006577398.tif 000006
【図６】
0006577398.tif 000007